(57)【要約】【課題】  裏板からの音に対する消音効果が大きい空気調和機の外壁パネルを提供すること。【解決手段】  圧延鋼板からなる表板１と、複数の貫通穴２７を有するパンチングパネルからなる裏板２との間に、ウレタン発泡樹脂からなる第１の消音部材５と、中板４と、グラスウールからなる第２の消音部材６を配置する。詳細には、上記第１の消音部材５の裏板２側に凹部２５を形成し、この凹部２５の底面に中板４を配置し、中板４と裏面２との間に第２の消音部材６を配置する。【選択図】  図１
2005292183.tif 000002
【特許請求の範囲】
【請求項１】
表板（１）と、
複数の貫通する開口部を有する裏板（２）と、
上記表板（１）と上記裏板（２）との間における上記表板（１）側に配置された第１の消音部材（５）と、
上記表板（１）と上記裏板（２）との間における上記裏板（２）側に配置された第２の消音部材（６）と
を備えることを特徴とする空気調和機の外壁パネル。
【請求項２】
請求項１に記載の空気調和機の外壁パネルにおいて、
上記裏板（２）は、複数の貫通穴（２７）を有するパンチングパネルであることを特徴とする空気調和機の外壁パネル。
【請求項３】
請求項１に記載の空気調和機の外壁パネルにおいて、
上記裏板は、網目部材を有し、この網目部材の網目が、上記開口部を形成することを特徴とする空気調和機の外壁パネル。
【請求項４】
請求項１乃至３のいずれか１つに記載の空気調和機の外壁パネルにおいて、
上記第１の消音部材（５）と上記第２の消音部材（６）との間に中板（４）が配置されていることを特徴とする空気調和機の外壁パネル。
【請求項５】
請求項１乃至４のいずれか１つに記載の空気調和機の外壁パネルにおいて、
上記第１の消音部材（５）は、ウレタン発泡樹脂からなり、上記第２の消音部材（６）は、グラスウールからなることを特徴とする空気調和機の外壁パネル。
【請求項６】
請求項１乃至５のいずれか１つに記載の空気調和機の外壁パネルにおいて、
上記第２の消音部材（６）と上記裏板（２）との間にシート部材（２９）が配置されていることを特徴とする空気調和機の外壁パネル。
【請求項７】
請求項１に記載の空気調和機の外壁パネルにおいて、
上記第１の消音部材（５）は、ウレタン発泡樹脂からなり、上記第１の消音部材（５）は、上記裏板（２）側に凹部（２５）を有し、上記凹部（２５）の周辺の部分の端面（３０）は、上記裏板（２）に接触し、上記第２の消音部材（６）は、上記凹部（２５）内に配置されていることを特徴とする空気調和機の外壁パネル。
【発明の詳細な説明】
【技術分野】
【０００１】
本発明は、空気調和機の外壁パネルに関する。
【背景技術】
【０００２】
従来、空気調和機の外壁パネルとしては、特開平１１−３５１６０９号公報（特許文献１）に記載されているものがある。
【０００３】
この空気調和機の外壁パネルは、表板と、裏板と、グラスウール製の第１の消音部材と、ウレタン発泡樹脂製の第２の消音部材とを備えている。
【０００４】
上記第１の消音部材は、略直方体の形状を有し、上記表板と上記裏板との間における上記表板側に、上記表板に接触するように配置されている。また、上記第２の消音部材は、略直方体の形状を有し、上記第１の消音部材と上記裏板との間に、上記第１の消音部材および上記裏板に接触するように配置されている。
【０００５】
この空気調和機の外壁パネルは、上記表板と上記裏板との間に、異なる二つの消音部材、すなわち、上記第１の消音部材と上記第２の消音部材とを配置することにより、消音性能を向上させるようにしている。
【０００６】
しかしながら、上記従来の空気調和機の外壁パネルは、内部からの騒音が裏板で反射して反響するため、消音効果が低いという問題がある。
【特許文献１】特開平１１−３５１６０９号公報（第７図）
【発明の開示】
【発明が解決しようとする課題】
【０００７】
そこで、本発明の課題は、裏板からの音に対する消音効果が大きい空気調和機の外壁パネルを提供することにある。
【課題を解決するための手段】
【０００８】
上記課題を解決するため、この発明の空気調和機の外壁パネルは、
表板と、
複数の貫通する開口部を有する裏板と、
上記表板と上記裏板との間における上記表板側に配置された第１の消音部材と、
上記表板と上記裏板との間における上記裏板側に配置された第２の消音部材と
を備えることを特徴としている。
【０００９】
本発明の空気調和機によれば、ファン等から発生する騒音が、上記開口部に直接または間接に露出している上記第２の消音部材によって、効果的に吸収される。もし、裏板に開口部が無いと、裏板でファン等の騒音が反射されて、騒音を十分に低減できないのである。
【００１０】
また、一実施形態の空気調和機の外壁パネルは、上記裏板が、複数の貫通穴を有するパンチングパネルである。
【００１１】
上記実施形態によれば、上記裏板が、複数の貫通穴を有するパンチングパネルであるので、上記貫通穴の周縁からの反射音が干渉して、騒音を低減させることができる。したがって、騒音の抑制効果を大きくすることができる。
【００１２】
また、一実施形態の空気調和機の外壁パネルは、上記裏板が、網目部材を有し、この網目部材の網目が、上記開口部を形成している。
【００１３】
上記実施形態によれば、上記裏板が、金網、樹脂製網、繊維網等の網目部材を有するので、上記網目からなる開口部の開口面積大きくすることができて、上記第２の消音部材の裏面への露出面積を大きくすることができる。したがって、騒音の低減効果を大きくすることができる。また、上記裏板を簡単安価に製造できる。
【００１４】
また、一実施形態の空気調和機の外壁パネルは、上記第１の消音部材と上記第２の消音部材との間に中板が配置されている。
【００１５】
上記実施形態によれば、上記第１の消音部材と上記第２の消音部材との間に中板が配置されているので、この中板で音を遮断することができて、音の遮音効果を更に向上させることができる。また、上記第１の消音部材と上記第２の消音部材との間に中板が配置されているので、上記第１の消音部材と上記第２の消音部材を望む位置に正確に配置できて、外壁パネルを容易に製造できると共に、上記第１の消音部材と上記第２の消音部材とが混ざり合うことを防止できて、外壁パネルの劣化を防止できる。
【００１６】
また、一実施形態の空気調和機の外壁パネルは、上記第１の消音部材が、ウレタン発泡樹脂からなり、上記第２の消音部材が、グラスウールからなる。
【００１７】
上記実施形態によれば、上記裏板側、すなわち、ファン等の騒音源が配置されている側の上記第２の消音部材を、吸音効果が大きいグラスウールから構成し、表板側の上記第１の消音部材を、ウレタン発泡樹脂から構成するので、第２の消音部材で効率的に音を吸収した後、更に、吸収できなかった音を第１の消音部材で吸収できる。したがって、騒音の外部漏れを更に小さくすることができる。
【００１８】
また、一実施形態の空気調和機の外壁パネルは、上記第２の消音部材と上記裏板との間にシート部材が配置されている。
【００１９】
上記実施形態によれば、上記第２の消音部材と上記裏板との間にシート部材が配置されているので、第２の消音部材が、上記開口部から抜け出たり、上記第２の消音部材にゴミ等がくっつくことを防止できる。
【００２０】
また、一実施形態の空気調和機の外壁パネルは、上記第１の消音部材が、ウレタン発泡樹脂からなり、上記第１の消音部材が、上記裏板側に凹部を有し、上記凹部の周辺の部分の端面が、上記裏板に接触し、上記第２の消音部材が、上記凹部内に配置されている。
【００２１】
上記実施形態によれば、上記第１の消音部材が、ウレタン発泡樹脂からなり、上記第１の消音部材が、上記裏板側に凹部を有し、上記凹部の周辺の部分の端面が、上記裏板に接触しているので、上記ウレタン発泡樹脂で、上記表板、上記裏板を一体に接着することができる。
【発明の効果】
【００２２】
本発明の空気調和機の外壁パネルによれば、ファン等から発生する騒音を、上記開口部に直接または間接に露出している上記第２の消音部材によって、効果的に吸収できて、裏板でファン等の騒音が反射されて騒音が反響することを抑制できる。
【００２３】
また、一実施形態の外壁パネルによれば、上記裏板が、複数の貫通穴を有するパンチングパネルであるので、上記貫通穴の周縁からの反射音が干渉して、騒音を低減させることができて、騒音の抑制効果を大きくすることができる。
【００２４】
また、一実施形態の外壁パネルによれば、上記裏板が、金網、樹脂製網、繊維網等の網目部材を有するので、上記網目からなる開口部の開口面積大きくすることができて、上記第２の消音部材の裏面への露出面積を大きくすることができ、騒音の低減効果を大きくすることができる。また、上記裏板を簡単安価に製造できる。
【００２５】
また、一実施形態の外壁パネルによれば、上記第１の消音部材と上記第２の消音部材との間に中板が配置されているので、この中板で音を遮断することができて、音の遮音効果を更に向上させることができる。また、上記第１の消音部材と上記第２の消音部材を所定箇所に正確に配置できて、外壁パネルを容易に製造できると共に、上記第１の消音部材と上記第２の消音部材とが混ざり合うことを防止できて、外壁パネルの劣化を防止できる。
【００２６】
また、一実施形態の外壁パネルによれば、上記裏板側、すなわち、ファン等の騒音源が配置されている側の上記第２の消音部材を、吸音効果が大きいグラスウールから構成し、表板側の上記第１の消音部材を、ウレタン発泡樹脂から構成するので、第２の消音部材で効率的に音を吸収した後、更に、吸収できなかった音を第１の消音部材で吸収できる。したがって、騒音の外部漏れを更に小さくすることができる。
【００２７】
また、一実施形態の外壁パネルによれば、上記第２の消音部材と上記裏板との間にシート部材が配置されているので、第２の消音部材が、上記開口部から抜け出たり、上記第２の消音部材にゴミ等がくっついて、上記第２の消音部材の消音性能が低下することを防止できる。
【００２８】
また、一実施形態の外壁パネルによれば、上記第１の消音部材が、ウレタン発泡樹脂からなり、上記第１の消音部材が、上記裏板側に凹部を有し、上記凹部の周辺の部分の端面が、上記裏板に接触しているので、上記ウレタン発泡樹脂で、上記表板、上記裏板を一体に接着することができる。
【発明を実施するための最良の形態】
【００２９】
以下、本発明を図示の形態により詳細に説明する。
【００３０】
図１は、本発明の一実施形態の空気調和機の外壁パネルの断面図である。
【００３１】
この外壁パネルは、表板１と、裏板２と、樹脂製の外枠３と、中板４と、第１の消音部材５と、第２の消音部材６とを備える。
【００３２】
上記表板１は、圧延鋼板から構成されている。上記表板１は、外壁パネルの表面を構成する本体部８と、この本体部８の周辺から裏板２側に略直角に折れ曲がっている固定部９とを有する。
【００３３】
一方、上記裏板２は、複数の貫通穴２７を有するパンチングパネルから構成されている。上記裏板２は、空気調和機（図示せず）の本体側に配置されている。上記裏板２は、本体部１０と、この本体部１０の縁部で略垂直に折れ曲がっている固定部１１とを有する。上記裏板の本体部１０は、表板１の本体部８と略平行になっている。
【００３４】
上記外枠３は、断面ロ字形状の外面２５を有している。上記外枠３は、厚さ方向の一方の側に表板取付溝を有し、他方の側に裏板取付溝を有している。上記表板取付溝には、表板１の固定部９が圧入されており、裏板取付溝には、裏板２の固定部１１が圧入されている。
【００３５】
上記第１の消音部材５は、ウレタン発泡樹脂からなる。上記第１の消音部材５は、表板１と裏板２との間に配置されている。上記第１の消音部材５は、表板１の略内面全面に接着している。また、上記第１の消音部材５は、裏板２側に、凹部２５を有している。上記第１の消音部材５の凹部２５の周辺部の端面３０は、裏板２における空気調和機の本体側と反対側の内面に接着しており、上記周辺部の外面３３は、外枠３の内面全面に接着している。
【００３６】
上記中板４は、圧延鋼板から構成されている。上記中板４は、凹部２５の底面に配置されている。上記中板４の表面積と、凹部２５の表面積は、略等しくなっている。また、上記中板４は、表板１の本体部８および裏板２の本体部１０と略平行になっている。
【００３７】
上記第２の消音部材６は、吸音性を有するグラスウールから成っている。上記第２の消音部材６は、中板４と裏板２との間に隙間なく配置されている。上記第２の消音部材６の裏面２側の表面は、クロス加工がされている。すなわち、上記第２の消音部材６の裏面２側の表面と、裏板２の内面との間には、シート部材の一例としてのクロス（布）２９が配置されている。
【００３８】
上記実施形態の空気調和機の外壁パネルを、次のように形成している。先ず、表板１と裏板２との間の夫々の所定位置に、液状のウレタン発泡樹脂、中板４およびグラスウールを配置した後、表板１および裏板２を外枠３に嵌め込んで、表板１と裏板２との間を外枠３で密封する。次に、上記液状のウレタン発泡樹脂を発泡させて、この発泡したウレタン発泡樹脂を、表板１、裏板２、外枠３および中板４に接着させて、表板１、裏板２、外枠３および中板４を一体化して、空気調和機の外壁パネルを完成させる。
【００３９】
図２は、上記実施形態の空気調和機の外壁パネルおよび従来の空気調和機の外壁パネルの夫々における、音の周波数に対する、上記夫々のパネルを通り抜けた音の音圧レベルを示す図である。
【００４０】
尚、音圧レベルの測定に用いた従来の外壁パネルは、次に示す外壁パネルである。すなわち、表板および裏板が、開口部がない圧延鋼板からなり、表板と裏板との間の表板側に、略直方体の形状のグラスウールが配置されると共に、このグラスウールと裏板との間に、略直方体の形状のウレタン発泡樹脂が配置され、かつ、上記グラスウールと上記ウレタン発泡樹脂が中板を介さずに直接接触している外壁パネルである。
【００４１】
図２において、縦軸は、音圧レベルを示し、横軸は、周波数を示している。また、図２において、▲は上記従来の外壁パネルの測定値を示し、●は、上記実施形態の外壁パネルの測定値を示している。
【００４２】
図２に示すように、全般的には、従来および上記実施形態の外壁パネルの両方において、周波数が上昇するにしたがって、音圧レベルが低下しており、従来および上記実施形態の両方とも、周波数が大きい音に対する遮音効果が大きくなっている。しかしながら、従来の外壁パネルにおいては、周波数が５００Ｈｚから１ｋＨｚに増加するにしたがって、音圧レベルも増加しており、このことに起因して周波数が５００Ｈｚから４ｋＨｚの範囲の音に対する消音効果が低くなっている。
【００４３】
一方、上記実施形態の外壁パネルにおいては、１２５Ｈｚ以上の周波数の音に対して、周波数が増加するにしたがって、音圧レベルが単調かつ急激に減少している。このことから、空気調和機の外壁パネルとして上記実施形態の外壁パネルを採用すれば、周波数が５００Ｈｚから４ｋＨｚの範囲の音を含む広範囲な周波数の音に対して音の遮音効果を大きくすることができて、空気調和機のファン等で発生した騒音が空気調和機の外部に漏れることを従来よりも格段に抑制できる。
【００４４】
上記実施形態の外壁パネルによれば、ファン等から発生する騒音が、シート部材としてのクロス（布）２９を介して貫通穴２７に間接的に露出している第２の消音部材６によって、効果的に吸収される。もし、裏板に開口部が無いと、裏板でファン等の騒音が反射されて、騒音を十分に低減できないのである。
【００４５】
また、上記実施形態の外壁パネルによれば、上記裏板２が、複数の貫通穴２７を有するパンチングパネルであるので、上記貫通穴２７の周縁からの反射音が干渉して、騒音を低減させることができる。したがって、騒音の抑制効果を大きくすることができる。
【００４６】
また、上記実施形態の外壁パネルによれば、上記第１の消音部材５と第２の消音部材６との間に中板４が配置されているので、この中板４で音を遮断することができて、音の遮音効果を更に向上させることができる。また、上記第１の消音部材５と第２の消音部材６との間に中板が配置されているので、第１の消音部材５と第２の消音部材６を所定箇所に配置できて、外壁パネルを容易に製造できると共に、第１の消音部材５と第２の消音部材６とが混ざり合うことを防止できて、外壁パネルの劣化を防止できる。
【００４７】
また、上記実施形態の外壁パネルによれば、上記裏板２側、すなわち、ファン等の騒音源が配置されている側の第２の消音部材６を、吸音効果が大きいグラスウールから構成し、表板１側の第１の消音部材５を、ウレタン発泡樹脂から構成するので、第２の消音部材６で効率的に音を吸収した後、更に、吸収できなかった音を第１の消音部材５で吸収できる。したがって、騒音の外部漏れを更に小さくすることができる。
【００４８】
また、上記実施形態の外壁パネルによれば、上記第２の消音部材６と裏板２との間にシート部材としてのクロス（布）２９が配置されているので、第２の消音部材６が、上記開口部から抜け出たり、第２の消音部材６にゴミ等がくっついて、第２の消音部材６が汚れたり、第２の消音部材６の消音性能が低下することを防止できる。
【００４９】
また、上記実施形態の外壁パネルによれば、上記第１の消音部材５が、ウレタン発泡樹脂であり、第１の消音部材５が、裏板２側に凹部２５を有し、凹部２５の周辺の部分の端面３０が、裏板２に接触すると共に、凹部２５の周辺の部分の外面３３が、外枠３の内面に接触しているので、ウレタン発泡樹脂からなる第１の消音部材５で、表板１、裏板２、および、外枠３を接着することができて、上記表板１、裏板２、および、外枠３を容易に一体化することができる。
【００５０】
尚、上記実施形態の外壁パネルでは、上記裏板２として、複数の貫通穴２７を有するパンチングパネルを採用したが、この発明の外壁パネルでは、裏板として、パンチングパネルの代わりに、金網、樹脂製網、繊維網等の網目部材を有する裏板を採用しても良い。この場合、網目からなる開口部の開口面積大きくすることができて、第２の消音部材の裏面への露出面積を大きくすることができるので、騒音の低減効果を大きくすることができる。また、上記裏板を簡単安価に製造できる。
【００５１】
また、上記実施形態の外壁パネルでは、上記中板４は、第１の消音部材５の凹部２５の底面上に配置され、外枠３に固定されない構造になっていたが、この発明の外壁パネルでは、中板は、周囲の一部または全部が外枠に固定される構造であっても良い。また、この発明の外壁パネルでは、中板を省略しても良い。
【００５２】
また、上記実施形態の外壁パネルでは、シート部材としてクロス（布）２９を採用したが、この発明の外壁パネルでは、シート部材として、紙等のクロス以外の厚さが薄いシート状の部材を採用しても良い。
【００５３】
また、上記実施形態の外壁パネルでは、第１の消音部材５は、凹部２５を有し、凹部２５の周辺の部分の端面３０が裏板２に接する構造であったが、この発明の外壁パネルでは、直方体の形状の第１の消音部材を採用すると共に、直方体の形状の第２の消音部材を採用し、これらの消音部材を、表板と裏板の間に配置しても良い。
【００５４】
また、上記実施形態の外壁パネルでは、第１の消音部材をウレタン発泡樹脂から構成すると共に、第２の消音部材をグラスウールから構成し、第１の消音部材と第２の消音部材を、異なる材質の部材から構成したが、この発明の外壁パネルでは、第１の消音部材と第２の消音部材を同じ材質から構成しても良く、例えば、第１の消音部材と第２の消音部材を共にグラスウール等から構成しても良い。
【００５５】
また、上記実施形態の外壁パネルでは、第１の消音部材をウレタン発泡樹脂から構成すると共に、第２の消音部材をグラスウールから構成したが、この発明の外壁パネルでは、第１の消音部材をグラスウールから構成すると共に、第２の消音部材をウレタン発泡樹脂から構成しても良い。また、この発明の外壁パネルでは、第１の消音部材および第２の消音部材の材質は、ウレタン発泡樹脂およびグラスウール以外の防音性（消音性）を有する発泡樹脂、樹脂、あるいは、ゴムであっても良い。また、この発明の外壁パネルの表板の表面形状は、矩形、多角形、円形等、いなかる形状であっても良いことは勿論である。
【図面の簡単な説明】
【００５６】
【図１】本発明の一実施形態の空気調和機の外壁パネルの断面図である。
【図２】上記実施形態の空気調和機の外壁パネル、および、従来の空気調和機の外壁パネルの夫々における、音の周波数に対する、上記夫々のパネルを通り抜けた音の音圧レベルを示す図である。
【符号の説明】
【００５７】
１  表板
２  裏板
３  外枠
４  中板
５  第１の消音部材
６  第２の消音部材
２５  凹部
２７  貫通穴
２９  クロス
３０  凹部の周辺の部分の端面
【図１】
2005292183.tif 000003
【図２】
2005292183.tif 000004